(57)【特許請求の範囲】
【請求項１】
複数のコイル（ＰI、ＰE）になるように巻かれたストリップ（３）を備えるヒゲゼンマイ（１）であって、
内側コイル（ＰI）は、略多角形状に延在するバンド（７、２７、４７、６７）を備えるヒゲ玉（５、２５、４５、６５）と一体である、ヒゲゼンマイ（１）において、
前記ヒゲゼンマイ（１）は：
前記バンド（７、２７、４７、６７）は前記多角形の各頂点に、前記内側コイル（ＰI）に向かって径方向に延在する張出し部分（２、４、８、２２、２４、２６、２８、４２、４４、４８、６２、６４、６８）を備え、前記内側コイル（ＰI）と前記ヒゲ玉（５、２５、４５、６５）との間の取り付け点（Ｓ1）は、前記ヒゲ玉（５、２５、４５、６５）の中心（Ｃ）及び前記取り付け点を通過する軸に関して対称な前記ヒゲ玉（５、２５、４５、６５）の前記張出し部分（２、４、８、２２、２４、２６、２８、４２、４４、４８、６２、６４、６８）のうちの１つの上に配置されること；並びに
前記ヒゲ玉（５、２５、４５、６５）の前記中心（Ｃ）と各前記張出し部分（２、４、８、２２、２４、２６、２８、４２、４４、４８、６２、６４、６８）の端部（Ｓ1、Ｓ2、Ｓ3、Ｓ4）との間の距離を略一定とすることにより、互いに対して略平行でありながら前記ヒゲ玉（５、２５、４５、６５）の前記中心（Ｃ）と前記張出し部分（２、４、８、２２、２４、２６、２８、４２、４４、４８、６２、６４、６８）の前記端部（Ｓ1、Ｓ2、Ｓ3、Ｓ4）との間に形成されるセグメントに対しても略平行である、軸方向に延在する２つの壁部（２1−２2、４1−４2、８1−８2、４２1−４２2、４４1−４４2、４８1−４８2、６２1−６２2、６４1−６４2、６８1−６８2）を含む外形を、各前記張出し部分（２、４、８、２２、２４、２６、２８、４２、４４、４８、６２、６４、６８）に与えること
を特徴とする、ヒゲゼンマイ（１）。
【請求項２】
前記バンド（７、２７、４７、６７）は前記多角形の各前記頂点間において前記ヒゲ玉（５、２５、４５、６５）の前記中心（Ｃ）に向かって屈曲しており、これにより、真（１１、１１’）に嵌合するよう配設された、少なくとも３つのクランプ留め点（Ｑ1、Ｑ2、Ｑ3、Ｑ4）が形成されることを特徴とする、請求項１に記載のヒゲゼンマイ（１）。
【請求項３】
各前記張出し部分（２、４、８、２２、２４、２６、２８、４２、４４、４８、６２、６４、６８）の前記２つの壁部（２1−２2、４1−４2、８1−８2、４２1−４２2、４４1−４４2、４８1−４８2、６２1−６２2、６４1−６４2、６８1−６８2）の間の距離は略一定であることを特徴とする、請求項１又は請求項２に記載のヒゲゼンマイ（１）。
【請求項４】
前記バンドは前記取り付け点（Ｓ1）を備える前記多角形の前記頂点において、前記バンド（７、２７、４７、６７）の内壁から前記ヒゲ玉（５、２５、４５、６５）の前記中心（Ｃ）へと径方向に延在する肉厚部分（２’、２２’）を含み、これにより、前記バンド（７、２７、４７、６７）の変形中に前記取り付け点（Ｓ1）が変位するのを防止できることを特徴とする、請求項１〜請求項３のいずれか１項に記載のヒゲゼンマイ（１）。
【請求項５】
前記バンド（７、２７、４７、６７）は、略三角形、四角形、五角形又は六角形の形状に延在することを特徴とする、請求項１〜請求項４のいずれか１項に記載のヒゲゼンマイ（１）。
【請求項６】
前記バンド（７、４７、６７）は、略三角形状に延在し、
前記ヒゲ玉（５、４５、６５）の前記中心（Ｃ）に関して前記取り付け点とは反対側にある、前記三角形の２つの頂点（４、８、４４、４８、６４、６８）間の部分（１２、５２、７２）において、前記バンド（７、４７、６７）は第４の張出し部分（６、４６、６６）を備え、
前記第４の張出し部分（６、４６、６６）は、前記内側コイル（ＰI）に向かって径方向に延在して、前記ヒゲ玉（５、４５、６５）の前記中心（Ｃ）において前記ヒゲ玉（５、４５、６５）の重心を位置決めできる
ことを特徴とする、請求項５に記載のヒゲゼンマイ（１）。
【請求項７】
前記ヒゲゼンマイ（１）は、グロスマン型湾曲の前記内側コイル（ＰI）と、部分的に肉厚となった外側コイル（ＰE）とを含むことを特徴とする、請求項１〜請求項６のいずれか１項に記載のヒゲゼンマイ（１）。
【請求項８】
前記ヒゲゼンマイはシリコン系材料から形成されることを特徴とする、請求項１〜請求項７のいずれか１項に記載のヒゲゼンマイ（１）。
【請求項９】
前記ヒゲゼンマイは、前記ヒゲゼンマイ（１）の気候変動に対する感受性を弱めるための、抵抗性かつ防湿性の層を更に含むことを特徴とする、請求項８に記載のヒゲゼンマイ（１）。
【請求項１０】
テンプ（１３、１３’）と、請求項１〜９のいずれか１項に記載のヒゲゼンマイ（１）が嵌合された真（１１、１１’）とを含む、時計用共振器（２１、２１’）。
【請求項１１】
前記ヒゲゼンマイ（１）は、弾性ワッシャ（１０、１０’）と前記真（１１’）の肩部（１４’）との間において前記真に嵌合されていることを特徴とする、請求項１０に記載の時計用共振器（２１’）。
【請求項１２】
前記ヒゲゼンマイ（１）は、前記弾性ワッシャ（１０、１０’）と前記テンプ（１３）との間において前記真（１１）に嵌合されていることを特徴とする、請求項１０に記載の時計用共振器（２１’）。
【請求項１３】
前記弾性ワッシャ（１０、１０’）が、前記ヒゲゼンマイ（１）を、ヒゲ玉（５、２５）のバンド（７、２７）の頂点において固定していることを特徴とする、請求項１１又は請求項１２に記載の時計用共振器（２１、２１’）。
【発明の詳細な説明】
【技術分野】
【０００１】
本発明は、特許文献１、２に開示された組立体システムに適合されたヒゲゼンマイに関し、詳細には、ワッシャによって真の上に弾性的にロックされたヒゲゼンマイに関する。
【背景技術】
【０００２】
シリコン系ヒゲゼンマイを備える現行の組立体は一般に、接着によって固定される。従って、例えば特許文献３に開示されたもの等の、ヒゲゼンマイと一体構成のヒゲ玉は、真に嵌合され、その後接触点において接着される。このタイプの操作は極めて繊細な塗布を必要とし、コストがかかる。
【先行技術文献】
【特許文献】
【０００３】
【特許文献１】欧州特許出願第１３１８７８３３号
【特許文献２】欧州特許出願第１３１８７８３６号
【特許文献３】欧州特許第２１８４６５３号
【発明の概要】
【発明が解決しようとする課題】
【０００４】
本発明の目的は、一体構成のヒゲ玉が、特許文献１、２に開示された組立体システムの助けによって設置されるよう適合されているヒゲゼンマイを提案することによって、上述の欠点の全て又は一部を克服することである。
【課題を解決するための手段】
【０００５】
この目的のために、本発明は、複数のコイルになるように巻かれたストリップを備えるヒゲゼンマイに関し、内側コイルは、略多角形状に延在するバンドを備えるヒゲ玉と一体である。このヒゲゼンマイは：バンドが上記多角形の各頂点に、内側コイルに向かって径方向に延在する張出し部分を備え、内側コイルとヒゲ玉との間の取り付け点が、ヒゲ玉の中心及び上記取り付け点を通過する軸に関して対称なヒゲ玉の張出し部分のうちの１つの上に配置されること；並びにヒゲ玉の中心と各張出し部分の端部との間の距離を略一定とすることにより、互いに対して及びヒゲ玉の中心と上記張出し部分の端部との間に形成されるセグメントに対して略平行な、軸方向に延在する２つの壁部を備える外形を、各張出し部分に与えることを特徴とする。
【０００６】
つまり上記外形は、弾性ワッシャが主にヒゲゼンマイをそのヒゲ玉のバンドの頂点上にクランプ留め又は締結するよう、最適化されていることが明らかである。実際、ワッシャが張出し部分をクランプ留め又は締結していない場合でさえ、張出し部分の２つの略平行な壁部は、ワッシャの周縁壁部に対して略垂直に配向され、欠けの形成を有利に防止できる。
【０００７】
本発明の他の有利な特徴によると：
−バンドは、上記多角形の各頂点間においてヒゲ玉の中心に向かって屈曲しており、これにより真に嵌合するよう配設されたクランプ留め点が形成され；
−各張出し部分の上記２つの頂点間の距離は略一定であり；
−バンドは、取り付け点を備える上記多角形の頂点において、バンドの内壁からヒゲ玉の中心へと径方向に延在する肉厚部分を含み、これにより、バンドの変形中に上記取り付け点が変位するのを防止でき；
−バンドは、略三角形、四角形、五角形又は六角形状に延在し；
−バンドは略三角形状に延在し、またこのバンドは、ヒゲ玉の中心に関して上記取り付け点とは反対側の上記三角形の２つの頂点間の部分に、第４の張出し部分を含み、この第４の張出し部分は、内側コイルに向かって径方向に延在して、ヒゲ玉の中心においてヒゲ玉の重心を位置決めでき；
−ヒゲゼンマイは、グロスマン型湾曲の内側コイルと、部分的に肉厚となった外側コイルとを含み；
−ヒゲゼンマイはシリコン系材料製であり；
−ヒゲゼンマイは、ヒゲゼンマイの気候変動に対する感受性を弱めるための、抵抗性かつ防湿性の層を更に含む。
【０００８】
更に本発明は、時計用の共振器に関し、この共振器は、テンプと、上述の変形例のいずれによるヒゲゼンマイが嵌合された真とを含むことを特徴とする。
【０００９】
本発明の他の有利な特徴によると：
−ヒゲゼンマイは、弾性ワッシャと真の肩部との間において真に嵌合され；
−ヒゲゼンマイは、弾性ワッシャとテンプとの間において真に嵌合され；
−弾性ワッシャは主に、ヒゲゼンマイをそのヒゲ玉バンドの頂点においてクランプ留めする。
【００１０】
その他の特徴及び利点は、添付の図面を参照して、非限定的な例示として記載される以下の説明から明らかになるであろう。
【図面の簡単な説明】
【００１１】
【図１】図１は、本発明によるヒゲゼンマイの斜視図である。
【図２】図２は、ヒゲ玉が弾性変形した、図１の部分図である。
【図３】図３は、本発明の第１の実施形態によるヒゲ玉の上面図である。
【図４】図４は、本発明によるヒゲゼンマイを真に嵌合するためのワッシャの例である。
【図５】図５は、本発明によるヒゲゼンマイを真に嵌合するためのワッシャの例である。
【図６】図６は、本発明による共振器の例である。
【図７】図７は、本発明による共振器の例である。
【図８】図８は、本発明の第２の実施形態によるヒゲ玉の上面図である。
【図９】図９は、本発明の第３の実施形態によるヒゲ玉の上面図である。
【図１０】図１０は、本発明の第４の実施形態によるヒゲ玉の上面図である。
【発明を実施するための形態】
【００１２】
上述したように、本発明は、一体構成のヒゲ玉が特許文献１、２に開示された組立体システムに適合されているヒゲゼンマイに関する。この組立体システムは、利用可能な可塑性領域を有しない、即ち極めて限定された可塑性領域を有する材料からなる、異なる種類の材料を含む部材を備えた部品を対象とする。
【００１３】
時計学の分野では、ドープ若しくは非ドープ単結晶（若しくは多結晶）シリコン様石英若しくはシリカ、単結晶若しくは多結晶コランダム、又はより一般にはアルミナ、窒化シリコン、シリコンカーバイドといったシリコン系材料等の脆性材料が果たす役割が増大しているため、上記組立体が必要とされている。
【００１４】
しかしながら、通常の鋼鉄製アーバ又は真（その製造方法は確立されている）を常に使用しなければならないことは、可塑性領域を有さない部品の使用と両立させるのが困難な制約である。実際に試験を実施すると、鋼鉄製アーバ又は真を圧入するのは不可能であり、これによって脆性部品、即ち利用可能な可塑性領域を有さないか又は極めて限定された可塑性領域を有する部品は端から順に破壊された。例えば、金属製アーバ又は真がシリコン部品の孔に入ることによって生成される剪断力により、この部品は端から順に破壊されることが分かった。
【００１５】
よってヒゲゼンマイ１は、複数のコイルになるように巻かれたストリップ３を備え、内側コイルＰIは、略多角形状に延在するバンド７、２７、４７、６７を備えるヒゲ玉５、２５、４５、６５と一体である。図３、８、９、１０に示す実施例から分かるように、バンド７、２７、４７、６７は、略一定の三角形又は菱型Ｌ1、Ｌ2、Ｌ3、Ｌ4、Ｌ5、Ｌ6、Ｌ7、Ｌ8の形状の多角形を備える。
【００１６】
しかしながら、本発明によると好ましくは、バンド７、２７、４７、６７は上記多角形の各頂点に、内側コイルＰIに向かって径方向に延在する、幅がそれぞれＬ’2、Ｌ’4、Ｌ’6、Ｌ’8の張出し部分２、４、８、２２、２４、２６、２８、４２、４４、４８、６２、６４、６８を備え、これにより、ヒゲ玉５、２５、４５、６５の外形の、ヒゲ玉５、２５、４５、６５の中心Ｃから最も離れた部分Ｓ1、Ｓ2、Ｓ3、Ｓ4が形成される。中心Ｃは、ヒゲ玉５、２５、４５、６５の孔に刻まれた円の中心によって形成される。
【００１７】
本発明をより簡単に説明するために、以下の説明は図３、図８、図９の実施形態に焦点を当てる。しかしながら以下の教示は、図１０の実施形態にも適用され、より一般には、本発明の範囲から逸脱することなく、菱形若しくは正方形等の四角形、五角形又は六角形のような、４つ以上の辺を有する多角形にも適用される。
【００１８】
よって、図３、図８、図９から分かるように、内側コイルＰIとヒゲ玉５、４５、６５との間の取り付け点Ｓ1は、ヒゲ玉５、４５、６５の張出し部分２、４、８、４２、４４、４８、６２、６４、６８のうちの１つ２、５２、７２の上に配置される。ヒゲ玉５、４５、６５は、ヒゲ玉５、４５、６５の中心Ｃ及び上記取り付け点Ｓ1を通過する軸に関して対称となることに留意されたい。
【００１９】
更に本発明によると、ヒゲ玉５、４５、６５の中心Ｃと各張出し部分２、４、８、４２、４４、４８、６２、６４、６８の端部Ｓ1、Ｓ2、Ｓ3との間の距離を略一定とすることにより、互いに対して略平行でありながらヒゲ玉の中心Ｃと関連する張出し部分２、４、８、４２、４４、４８、６２、６４、６８それぞれの端部Ｓ1、Ｓ2、Ｓ3との間に形成されるセグメントに対しても略平行である、軸方向に延在する２つの壁部２1−２2、４1−４2、８1−８2、４２1−４２2、４４1−４４2、４８1−４８2、６２1−６２2、６４1−６４2、６８1−６８2を含む外形を、各張出し部分２、４、８、４２、４４、４８、６２、６４、６８に与える。
【００２０】
図３において、張出し部分２の２つの壁部２1−２2の間の距離は、張出し部分４、８それぞれの壁部４1−４2、８1−８2の間の距離よりも小さいことが分かるが、図８、図９では、張出し部分４２、４４、４８、６２、６４、６８それぞれの２つの壁部４２1−４２2、４４1−４４2、４８1−４８2、６２1−６２2、６４1−６４2、６８1−６８2の間の距離は略一定である。
【００２１】
従って、ワッシャ１０は張出し部分２、４、８、４２、４４、４８、６２、６４、６８をクランプ留め又は締結していないが、これら張出し部分の２つの略平行な壁部２1−２2、４1−４2、８1−８2、４２1−４２2、４４1−４４2、４８1−４８2、６２1−６２2、６４1−６４2、６８1−６８2は、ワッシャ１０の周縁壁部に対して略垂直に配向され、ヒゲ玉５、４５、６５に欠けが形成されるのを有利に防止できる。実際、図３において点線で示すように、バンド７、４７、６７がこれら張出し部分２、４、８、４２、４４、４８、６２、６４、６８を有していなければ、ワッシャ１０の縁部はバンド７、４７、６７の縁部に接することになり、即ち互いに対して垂直となり、これによって過大な局所的応力が生成される危険があることが明らかである。
【００２２】
好ましくは本発明によると、バンド７、２７、４７、６７は上記多角形の各頂点間においてヒゲ玉５、２５、４５、６５の中心Ｃに向かって屈曲しており、これにより、真１１、１１’に嵌合するよう配設された、少なくとも３つのクランプ留め点又は締結点Ｑ1、Ｑ2、Ｑ3、Ｑ4が形成される。図８において、バンド４７は図３、図９、図１０それぞれのバンド７、２７、６７よりも大きく屈曲していることが分かる。
【００２３】
更に、好ましくは本発明によると、バンド７、２７は取り付け点Ｓ1を備える三角形の頂点において、バンド７、２７の内壁からヒゲ玉５、２５の中心Ｃへと径方向に延在する、幅Ｌ’’2の肉厚部分２’、２２’を含み、これにより、真１１、１１’（これらの断面積は、クランプ留め点又は締結点Ｑ1、Ｑ2、Ｑ3、Ｑ4の間の開口より大きい）の受承によって引き起こされるバンド７、２７の変形Ｆ1中に取り付け点Ｓ1が変位するのを防止できる。しかしながら図８、図９では、バンド４７、６７はこの肉厚部分を有していないことが分かる。従ってこの肉厚部分は本発明の必須の特徴を構成するものではないことが明らかである。
【００２４】
最後に図３、図８、図９において、張出し部分４−８、４４−４８、６４−６８を含み、かつヒゲ玉５、４５、６５の中心Ｃに関して取り付け点Ｓ1とは反対側にある、三角形の２つの頂点間の部分１２、５２、７２において、バンド７、４７、６７は幅Ｌ’6の第４の張出し部分６、４６、６６を含み、この第４の張出し部分６、４６、６６は内側コイルＰIに向かって径方向に延在して、ヒゲ玉５、４５、６５の開口の中心Ｃにおいてヒゲ玉５、４５、６５の重心を位置決めできることも分かる。
【００２５】
肉厚部分２’、２２’の代替案によると、バンド７、２７、４７、６７の変形Ｆ1中に取り付け点Ｓ1が変位するのを防止するために、バンド７、２７、４７、６７の幅を多角形の頂点間で変動させること、即ち異なる幅又は一定でない幅を有することも可能である。
【００２６】
図９は、一定でない幅の例を示す。つまりヒゲ玉６５は、幅Ｌ1、Ｌ3において、即ちクランプ留め点又は締結点Ｑ1、Ｑ2、Ｑ3において、バンド６７の残りの部分と比較して、即ち幅Ｌ2、Ｌ4、Ｌ5、Ｌ6、Ｌ7、Ｌ8と比較して約１０％大きい局所的厚さを有する。
【００２７】
例として図３の場合、肉厚部分２’を使用しなければ、ヒゲ玉５は移動して６時方向に中心がずれる。しかしながら、図８は、この肉厚部分を有さないバンド４７が同様の中心ずれ変位を受けないことを、図３と同様の幾何学的寸法で示している。バンド７の変形Ｆ1中に取り付け点Ｓ1が変位するのを防止するための肉厚部分２’、２２’の代替解決策は、Ｌ1、Ｌ3においてバンド７を拡大すること若しくはＬ5、Ｌ7においてにおいてバンド７を薄くすること、及び／又は第４の張出し部分６の体積を減少させること、及び／又はバンド７を（ヒゲ玉４５に関して）屈曲させることからなってもよい。
【００２８】
より一般には、ヒゲ玉５、２５、４５、６５に設けられる多角形の形状に応じて、ヒゲゼンマイ１の中心をその真１１と同軸に保つためのヒゲ玉の剛性の修正を、バンド７、２７、４７、６７の厚さを修正することによって、及び／又は多角形の頂点間のバンド７、２７、４７、６７の長さを修正することによって、及び／又は張出し部分２、４、６、２２、２４、２６、２８、４２、４４、４８、６２、６４、６８の幅若しくはバンド７、２７、４７、６７の肉厚部分２’２２’の幅に作用を及ぼすことによって、及び／又はバンド７、２７、４７、６７に穿孔することによって、達成できる。
【００２９】
図３では、距離Ｃ−Ｉ1−Ｌ’’2は距離Ｃ−Ｉ2、Ｃ−Ｉ3と略等しいこと、及び距離Ｌ2−Ｌ’2、Ｌ4−Ｌ’4、Ｌ8−Ｌ’8は略等しいことも分かる。図３において距離Ｃ−Ｓ1、Ｃ−Ｓ2、Ｃ−Ｓ3が略等しいのはこのためであり、これらが等しいことは図８および図９においてより容易に視認できる。
【００３０】
従って上で説明したように、ヒゲゼンマイ１は、これらに限定されないが、ドープ若しくは非ドープ単結晶シリコン、ドープ若しくは非ドープ多結晶シリコン、酸化シリコンでコーティングされたドープ若しくは非ドープ単結晶シリコン、酸化シリコンでコーティングされたドープ若しくは非ドープ多結晶シリコン、酸化シリコン、石英、シリカ、酸化シリコンでコーティングされた窒化シリコン、シリコンカーバイド、又は酸化シリコンでコーティングされたシリコンカーバイドから形成でき、これらの材料は弾性クランプ留め中にワッシャ１０、１０’によって破壊される危険がない。あるいはヒゲゼンマイ１は、これらに限定されないが、単結晶コランダム、多結晶コランダム又はアルミナからも形成できる。
【００３１】
このようなワッシャ１０、１０’を図４、図５に示す。第１の代替例では、ワッシャ１０は真円であり、即ち、ヒゲゼンマイ１をクランプ留めするために使用できる上面１９及び底面１６を備えた、孔１８を有するディスクである。更にワッシャ１０の縁部は、製造中に欠け及び粗雑な縁部が形成されるのを防止することを意図した面取り１５の作業を含んでよい。
【００３２】
第２の代替例では、ワッシャ１０’はリングであり、即ち、上面１９’及び底面１６’を備えた、孔１８’を有するディスクである。上面１９’は、円錐形表面１７’の助けを借りて孔１８’と協働し、ヒゲゼンマイ１をクランプ留めするために使用される。更にワッシャ１０’の縁部は欠けが形成されるのを防止することを意図した面取り１５’を行なってもよい。
【００３３】
好ましくは、ヒゲゼンマイ１はグロスマン型湾曲の内側コイルＰIと、部分的に肉厚となった外側コイルＰEとを含み、これにより、収縮及び膨張中のこのゼンマイの同心性が改善される。
【００３４】
ヒゲゼンマイ１が、このゼンマイの気候変動に対する感受性を弱めるための、抵抗性かつ防湿性の層を含むことも好ましい。
【００３５】
図６、図７から分かるように、本発明は時計用の共振器２１、２１’にも関し、この共振器２１、２１’は、テンプ１３、１３’と、上述の変形例のいずれによるヒゲゼンマイ１が嵌合された真１１、１１’とを備える。
【００３６】
よって、図６に示す第１の実施形態では、共振器２１は、弾性ワッシャ１０とテンプ１３との間において真１１に嵌合されたヒゲゼンマイ１を含む。一方、図７に示す第２の実施形態では、共振器２１’は、弾性ワッシャ１０と真１１’の肩部１４’との間において真１１’に嵌合されたヒゲゼンマイ１を含む。
【００３７】
弾性ワッシャの２つの選択肢１０、１０’を、これらの実施形態両方に使用できる。従ってワッシャ１０、１０’は主に、ヒゲゼンマイ１をそのヒゲ玉５、２５、４５、６５のバンド７、２７、４７、６７の頂点Ｆ2において、更に第４の張出し部分６、２６、４６、６６上においても、クランプ留め又は締結する。
【００３８】
当然のことながら、本発明はここに例示した実施例に限定されるものではなく、当業者に明らかであろう様々な変形例及び修正例が可能である。特にヒゲゼンマイ１の形状及び寸法は、図１〜図１０の実施例に限定されない。実際には用途に応じて、ヒゲゼンマイ１の形状及び寸法は、特に張出し部分２、４、６、８、２２、２４、２６、２８、４２、４４、４８、６２、６４、６８及び／又はバンド７、２７、４７、６７及び／又は肉厚部分２’、２２’及び／又はバンド７、２７、４７、６７の屈曲に関して、異なってよい。
【符号の説明】
【００３９】
１  ヒゲゼンマイ
２、４、８、２２、２４、２６、２８、４２、４４、４８、６２、６４、６８  張出し部分
２’、２２’  肉厚部分
２1−２2、４1−４2、８1−８2、４２1−４２2、４４1−４４2、４８1−４８2、６２1−６２2、６４1−６４2、６８1−６８2  壁部
３  ストリップ
５、２５、４５、６５  ヒゲ玉
６、４６、６６  第４の張出し部分
７、２７、４７、６７  バンド
１０、１０’  弾性ワッシャ
１１、１１’  真
１２、５２、７２  三角形の２つの頂点の間の部分
１３、１３’  テンプ
１４、１４’  弾性ワッシャの肩部
２１、２１’  時計用共振器
Ｃ  ヒゲ玉の中心
ＰI  内側コイル
ＰE  外側コイル
Ｑ1、Ｑ2、Ｑ3、Ｑ4  クランプ留め点
Ｓ1  取り付け点、端部
Ｓ2、Ｓ3、Ｓ4  端部
【図１】
0006026576.tif 000002
【図２】
0006026576.tif 000003
【図３】
0006026576.tif 000004
【図４】
0006026576.tif 000005
【図５】
0006026576.tif 000006
【図６】
0006026576.tif 000007
【図７】
0006026576.tif 000008
【図８】
0006026576.tif 000009
【図９】
0006026576.tif 000010
【図１０】
0006026576.tif 000011